(57)【要約】【課題】点検ボタン表面のどの部分を押しても確実にスイッチを押せ、また、ユーザが身の回りにある棒やおたま等で簡単にかつ確実にボタンを押せるようにした壁掛け型火災警報器を得る。【解決手段】本体１と保護カバー２で構成された筐体内に収容設置されたプリント基板８上に、火災を検知する検知部７とタクトスイッチ９が設けられ、保護カバー２の表面側にタクトスイッチ９を押し操作するボタン部４１を有する点検ボタン部材４を設け、ボタン部４１を、少なくとも保護カバー２の最下部の略横幅全体にわたった面を含むように配設し、保護カバー２の表面側と下面側にそれぞれ沿った表面側部と下面側部を有する断面略Ｌ字形状とした。【選択図】図１
2006059278.tif 000002
【特許請求の範囲】
【請求項１】
本体と保護カバーで構成された筐体内に収容設置されたプリント基板上に、火災を検知する検知部とスイッチが設けられ、該保護カバーの表面側に該スイッチを押し操作するボタン部を有する点検ボタン部材を設けてなる壁掛け型火災警報器において、
前記ボタン部を、少なくとも前記保護カバーの最下部の略横幅全体にわたった面を含むように配設したことを特徴とする壁掛け型火災警報器。
【請求項２】
前記ボタン部を、前記保護カバーの表面側と下面側にそれぞれ沿った表面側部と下面側部を有する断面略Ｌ字形状としたことを特徴とする請求項１記載の壁掛け型火災警報器。
【請求項３】
前記点検ボタン部材に、前記ボタン部の上部に一体成形され固定用の孔を有する延出片が設けられ、
前記保護カバーの内面側に、
前記点検ボタン部材の前記固定用の孔に挿通される突起状の熱溶着部と、
前記延出片の上端部が当接する突起部と、
が設けられ、
前記点検ボタン部材は、前記延出片の前記固定用の孔に前記保護カバーの熱溶着部を挿通して、前記延出片の上端部を前記保護カバーの前記突起部に当接させた状態で、前記熱溶着部を熱溶着して前記保護カバーに固定されることを特徴とする請求項１または２記載の壁掛け型火災警報器。
【請求項４】
前記保護カバーに、前記検知部が収容される検知部収容部が設けられ、
前記延出片は、前記保護カバーの前記検知部収容部の外周方向に沿う形状で、前記ボタン部の上部両端側方に延出されていることを特徴とする請求項３記載の壁掛け型火災警報器。
【請求項５】
前記ボタン部に、略Ｕ字状のヒンジ片が裏面下部から立設され、前記保護カバーの表面側には、前記ボタン部が収容される凹部が設けられ、該凹部に、前記ヒンジ片が挿入される開口が設けられたことを特徴とする請求項３乃至４のいずれかに記載の壁掛け型火災警報器。
【請求項６】
前記ボタン部の表面に、前記ボタン部を前記筐体の内方へ引き操作するスイッチ操作ひもの一端を結合する操作ひも取付部が設けられ、
前記本体の最下部の背面方向に、前記スイッチ操作ひもの他端側を通し、壁面に沿って垂設させるスリットが設けられたことを特徴とする請求項１乃至５のいずれかに記載の壁掛け型火災警報器。
【請求項７】
前記プリント基板の背面側に、前記筐体内に装着されるバッテリーと近接して他の装置に接続される移報用コネクタが設けられ、
前記筐体の前記本体に、前記バッテリーを覆うとともに前記移報用コネクタを覆う切欠可能な切欠部を有するバッテリーカバーが設けられ、
前記移報用コネクタに前記他の装置を接続するときは、前記バッテリーカバーの切欠部を切り欠いて、前記移報用コネクタを前記筐体外部に露出させることを特徴とする請求項１乃至６のいずれかに記載の壁掛け型火災警報器。
【発明の詳細な説明】
【技術分野】
【０００１】
本発明は、壁掛け型火災警報器に係り、特に、住宅用に使用され高所に取り付けられた警報器の点検時にユーザが簡単にかつ確実にボタンを押せるようにした壁掛け型火災警報器に関する。
【背景技術】
【０００２】
従来の火災警報器は、筐体の表側にスイッチ操作用の点検ボタンが設けられており、この点検ボタンにより筐体内に設けられたスイッチ本体を押し操作することで、火災警報状態での一定時間の警報停止、通常の監視状態での報知器の動作チェックが行われるようになっている（例えば、特許文献１参照）。
【０００３】
【特許文献１】特開平５−１７４２６６号公報（段落０００６〜０００８、図１〜４）
【発明の開示】
【発明が解決しようとする課題】
【０００４】
上述のような従来の火災警報器には、天井面取り付け型と壁掛け型タイプがあるが、壁掛け型タイプの場合、住宅用火災警報器は天井から１５〜５０ｃｍ下の壁面の高い位置に設置しなければ火災検知の効果は薄れてしまう。そのため、背の低いユーザ、高齢者の方にとって点検ボタンを押すことは容易ではない。また、従来の火災警報器の点検ボタンは直径１０ｍｍ前後と非常に小さいため、直接ボタンを押すには台などに乗ってボタンを押さなければならないが転倒などの恐れもある。また、付属のひもを引っ張ることにより点検を行うこともできるが、警報器からひもが垂れていると美観的に良くないという問題があった。
【０００５】
この発明は、上述のような問題点を解決するためになされたもので、点検ボタン表面のどの部分を押しても確実にスイッチを押せることを可能にし、また、高所に取り付けられた警報器の点検時にユーザが身の回りにある棒やおたま等で簡単にかつ確実にボタンを押せるようにした壁掛け型火災警報器を得ることを目的とする。
【課題を解決するための手段】
【０００６】
この発明に係る壁掛け型火災警報器は、本体と保護カバーで構成された筐体内に収容設置されたプリント基板上に、火災を検知する検知部とスイッチが設けられ、該保護カバーの表面側に該スイッチを押し操作するボタン部を有する点検ボタン部材を設けてなる壁掛け型火災警報器において、前記ボタン部を、少なくとも前記保護カバーの最下部の略横幅全体にわたった面を含むように配設したものである。
【０００７】
また、前記ボタン部を、前記保護カバーの表面側と下面側にそれぞれ沿った表面側部と下面側部を有する断面略Ｌ字形状としたものである。
【０００８】
また、前記点検ボタン部材に、前記ボタン部の上部に一体成形され固定用の孔を有する延出片が設けられ、前記保護カバーの内面側に、前記点検ボタン部材の前記固定用の孔に挿通される突起状の熱溶着部と、前記延出片の上端部が当接する突起部と、が設けられ、
前記点検ボタン部材は、前記延出片の前記固定用の孔に前記保護カバーの熱溶着部を挿通して、前記延出片の上端部を前記保護カバーの前記突起部に当接させた状態で、前記熱溶着部を熱溶着して前記保護カバーに固定されるものである。
【０００９】
また、前記保護カバーに、前記検知部が収容される検知部収容部が設けられ、前記延出片は、前記保護カバーの前記検知部収容部の外周方向に沿う形状で、前記ボタン部の上部両端側方に延出されているものである。
【００１０】
また、前記ボタン部に、略Ｕ字状のヒンジ片が裏面下部から立設され、前記保護カバーの表面側には、前記ボタン部が収容される凹部が設けられ、該凹部に、前記ヒンジ片が挿入される開口が設けられたものである。
【００１１】
また、前記ボタン部の表面に、前記ボタン部を前記筐体の内方へ引き操作するスイッチ操作ひもの一端を結合する操作ひも取付部が設けられ、前記本体の最下部の背面方向に、前記スイッチ操作ひもの他端側を通し、壁面に沿って垂設させるスリットが設けられたものである。
【００１２】
また、前記プリント基板の背面側に、前記筐体内に装着されるバッテリーと近接して他の装置に接続される移報用コネクタが設けられ、前記筐体の前記本体に、前記バッテリーを覆うとともに前記移報用コネクタを覆う切欠可能な切欠部を有するバッテリーカバーが設けられ、前記移報用コネクタに前記他の装置を接続するときは、前記バッテリーカバーの切欠部を切り欠いて、前記移報用コネクタを前記筐体外部に露出させるものである。
【発明の効果】
【００１３】
この発明は、ボタン部を、少なくとも保護カバーの最下部の略横幅全体にわたった広い面を含むように配設したので、高所に取り付けられた警報器の点検時に、下方からユーザが身の回りにある棒やおたま等で簡単にかつ確実に点検ボタン部材のボタン部を押すことができる。
【００１４】
また、前記ボタン部を、前記保護カバーの表面側と下面側にそれぞれ沿った表面側部と下面側部を有する断面略Ｌ字形状としたので、押す方向が表面側のみでなく、コーナーや下面側からの力でも押すことができ、また、おたま等で表面側から押した後の方向を下面方向にそらすようにすることができ操作し易い。
【００１５】
また、点検ボタン部材は、延出片の固定用の孔に保護カバーの熱溶着部を挿通して、延出片の上端部を保護カバーの突起部に当接させた状態で、熱溶着部を熱溶着して保護カバーに固定されるので、点検ボタン部材は延出片によりバネ性が付与され、熱溶着部を支点としてボタン部によりスイッチを押し操作することができ、また、ボタン部を押し操作して離せば、ボタン部は確実に通常位置に戻り、ボタン部とスイッチの間隔を良好に維持でき、スイッチの押しっぱなしを防止することができる。
【００１６】
また、延出片は、保護カバーの検知部収容部の外周方向に沿う形状で、ボタン部の上部両端側方に延出されているので、点検ボタン部材の支点である延出片の熱溶着部分からボタン部の押圧部までの距離を長くすることができ、押し操作するために必要な力を低減させ、また、ボタン部が片持ちにならず、ボタン部のどの部分を押し操作しても、ボタン部全体が筐体内方に移動するので、確実にスイッチを押すことができる。
【００１７】
また、ボタン部に、略Ｕ字状のヒンジ片４３が裏面下部から立設され、保護カバーの表面側には、ボタン部が収容される凹部が設けられ、該凹部に、ヒンジ片が挿入される開口が設けられたので、開口内に設けられたヒンジ片がストパーとして作用し、点検ボタン部材が筐体外方に引っ張られることによって、点検ボタン部材が破損することを防止し、また、凹部の当接面によって、点検ボタン部材が筐体内方に必要以上に押し操作されることを防止するので、点検ボタン部材のバネ性の劣化および劣化によるスイッチの押しっぱなしを防止することができる。
【００１８】
また、ボタン部の表面に、ボタン部を前記筐体の内方へ引き操作するスイッチ操作ひもの一端を結合する操作ひも取付部が設けられ、本体の最下部の背面方向に、スイッチ操作ひもの他端側を通し、壁面に沿って垂設させるスリットが設けられたので、スイッチ操作ひもは美観的に良好にすることができ、また、ひもが切れると、ひもを結合するために保護カバーを外す必要をなくすことができる。
【００１９】
また、プリント基板の背面側に、前記筐体内に装着されるバッテリーと近接して他の装置に接続される移報用コネクタが設けられ、本体に、バッテリーを覆うとともに移報用コネクタを覆う切欠可能な切欠部を有するバッテリーカバーが設けられたので、バッテリーカバーの一部の切欠部を移報用コネクタのカバーとして、一体化することができ、また、バッテリーカバーから切欠部を切り欠くだけで、容易に移報用コネクタを外部に露出することができる。
【発明を実施するための最良の形態】
【００２０】
図１、図２はこの発明の実施の形態を示す壁掛け型火災警報器の構成図であり、図１（ａ）は正面図、図１（ｂ）は図１（ａ）のＡ−Ａ断面図、図１（ｃ）は底面（下面）図であり、図２（ａ）は図１（ａ）の右側面図、図２（ｂ）は図１（ａ）の背面図であり、図３は図１（ｂ）の要部拡大図である。
本実施の形態の壁掛け型火災警報器は、煙検知式であり、図１〜図３において、本体１と保護カバー２で構成された筐体内に収容設置されたプリント基板８上に、煙を検知する検知部７、スイッチとしてのタクトスイッチ９、及び報知器としてのＬＥＤ（図示せず）が固定され、また、報知器としてのスピーカー１０、バッテリー６が電気的に接続されている。また、保護カバー２には、スピーカー１０の音響孔２３、検知部７が収容される検知部収容部２４が設けら、検知部収納部２４の下側には、点検ボタン部材４が配設されている。
【００２１】
また、図３に示すようにタクトスイッチ９は点検ボタン部材４（図１参照）のボタン部４１に設けられた押圧部４６により押圧され、この押圧時におけるプリント基板８のそりを防止するための基板当たり部１２が本体１に設けられている。また、ボタン部４１の表面側には、操作ひも取付部４４が形成されており、操作ひもの他端側を通し壁面に沿って垂設させるスリット１１が本体１の底面の背面方向に設けられている。また、図２（ｂ）に示すように本体１には、バッテリー６を覆うとともに後述する移報用コネクタを覆う切欠可能な切欠部５１を有するバッテリーカバー５、壁面への取付用の取付金具挿入部１３が設けられている。
【００２２】
図４は本体１を取り外した状態で、保護カバー２内の部品配置を示す図である。
図４において、フラッシュライト、増設ブザー等の外部警報器に接続される移報用コネクタ３９がプリント基板８の背面側に設けられており、この移報用コネクタ３９はバッテリー６と近接配置されている。そして、本体１に取り付けられる切欠可能な切欠部５１を有するバッテリーカバー５により、バッテリー６を覆うとともに移報用コネクタ３９を覆うが、移報用コネクタ３９に外部警報器等を接続するときは、バッテリーカバー５の切欠部５１を切り欠くことで、移報用コネクタ３９を筐体外部に露出する構造となっている。
【００２３】
また、壁掛け型火災警報器は壁掛けされたときに傾かないように、筐体内部に各種部材を配置してある。つまり、壁掛けの取付支点である取付金具挿入部１３に対して、重量の重い部材であるバッテリー６、スピーカー１０を近接配置することで、傾きを抑えている。さらに、一側にバッテリー６、他側にスピーカー１０を配置しているが、このスピーカー１０の背面に音響反射部材３８を設けており、この音響反射部材３８が、音量増加の他に、バランス調整機能を備えている。
【００２４】
図５は点検ボタン部材４の構成図であり、図５（ａ）は正面図、図５（ｂ）は背面図、図５（ｃ）は図５（ｂ）の側面図、図５（ｄ）は底面（下面）図であり、図６は図５（ｂ）の斜視図である。図５、図６において点検ボタン部材４は、押し操作用のボタン部４１と、保護カバー２への取付用の延出片４２とが一体成形されたものであり、延出片４２は、検知部収容部２４の外周方向に沿う形状で、ボタン部４１の上部両端側方に延出しており、延出片４２の略中央部に保護カバー２への固定用の孔４５が設けられている。また、ボタン部４１の裏面下部に保護カバー２の後述する開口２５に挿入される略Ｕ字状のヒンジ片４３が立設され、ボタン部４１の裏面中央部には、タクトスイッチ９を押圧する押圧部４６が形成されている。また、ボタン部４１の裏面には、表面側に操作ひも取付部４４が形成されたる凸部４７が設けられている。
なお、ボタン部４１は、図１に示すように、検知部収容部２４の下縁近傍から保護カバー２の最下部にわたる縦幅で、かつ、保護カバー２の最下部の略横幅全体にわたった横幅の広い面を含む大きなサイズに設定されており、また、その形状は、保護カバー２の表面側と下面側にそれぞれ沿った表面側部と下面側部とを有する断面略Ｌ字形状である。
【００２５】
図７、図８は保護カバー２の構成図であり、図７（ａ）は側面図、図７（ｂ）は正面図、図８（ａ）は図７（ｂ）の背面図、図８（ｂ）は図８（ａ）の断面図、図８（ｃ）は底面（下面）図であり、図９は図７（ｂ）の要部の斜視図である。
図７、図８において、保護カバー２には、スピーカー収納部３１、スピーカー１０の音響孔２３、検知部７が収容される検知部収容部２４、バッテリー収納部３０、タクトスイッチ９操作用の点検ボタン部材４のボタン部４１が収容される凹部２６が形成されている。この凹部２６の当接面２７には、ボタン部４１の裏面下部から立設されたヒンジ片４３が挿入される開口２５、点検ボタン部材のボタン部４１が挿入される開口２８、押圧部４６が挿入される開口２９、プリント基板支え部３３が設けられている。
また、保護カバー２の内面側に、点検ボタン部材４の固定用の孔４５に挿通される突起状の熱溶着部２２と、延出片４２の上端部が当接する突起部２１が設けられている。
なお、保護カバー２、点検ボタン部材４は合成樹脂から成形されたものである。
【００２６】
図１０は本体１の正面図と底面図、図１１は図１０の背面図である。図１０、図１１において、スイッチ押圧時におけるプリント基板８の背面方向へのそりを防止するため、対応する筐体の本体１の部位に、基板当たり部１２、ボタン部４１の操作ひも取付部４４に取り付けられた操作ひもを通し、壁面に沿って垂設させるスリット１１、バッテリーカバー５で覆われるバッテリー装填口１６、移報用コネクタ３９の周囲を囲む断面コの字形状に立設された移報用コネクタ収納部１７、壁面に固定された後述の専用の取付金具に取付けるとき使用され、金具を挟む挟持片１４を有する取付金具挿入部１３及び汎用のネジ等で取り付けるときに使用する取付穴１５が設けられている。
【００２７】
図１２はバッテリーカバー５の正面図と底面図であり、図１２において、裏面に移報用コネクタ３９（図４）を覆う切欠溝５２を有する切欠部５１が設けられている。また、本体１のバッテリー装填口１６の縁部をスライドするスライド片５３、本体１に係合する係合片５４が設けられている。
【００２８】
次に、この発明の実施の形態を示す壁掛け型火災警報器の組み立てについて図６、図９、図１３、図１４により説明する。図１３は保護カバー２に点検ボタン部材４を取り付けた状態を示す図、図１４は図１３のＡ−Ａ断面図（部分）である。
まず、保護カバー２の点検ボタン部材４のボタン部４１が収容される凹部２６の当接面２７に設けられた開口２８にボタン部４１を保護カバー２の内面側から挿入し、さらに、開口２５、２９に各々ボタン部４１のヒンジ片４３と押圧部４６を挿入すると同時に、点検ボタン部材４の延出片４２に設けられた孔４５に保護カバー２の内面側に設けられた熱溶着部２２を挿通して、延出片４２の上端部を保護カバー２の内面側に設けられた突起部２１に当接させた状態で、熱溶着部２２を熱溶着して溶着部２２ａ（図１４）を形成して保護カバー２に固定する。
【００２９】
このように、点検ボタン部材４は延出片４２によりバネ性が付与され、熱溶着部２２を支点としてボタン部４１によりタクトスイッチ９を押し操作することができる。また、延出片４２の上端部には、筐体内方に常に応力がかかっている状態としたので、ボタン部４１を押し操作して離せば、ボタン部４１は熱溶着部２２を支点に確実に通常位置に戻る。つまり、延出片４２の上端部は、押し操作による応力の増加を解放しようとするので、ボタン部４１は通常位置に良好に復帰することができ、ボタン部４１とタクトスイッチ９の間隔を良好に維持でき、タクトスイッチ９の押しっぱなしを防止することができる。
【００３０】
また、ボタン部４１を、保護カバー２の最下部の略横幅全体にわたった面を含むように配設して面積を大きくしたことで、保護カバー２には、ボタン部４１が収容される凹部２６と、検知部７が収容される検知部収容部２４が近接して設けられることとなったが、延出片４２を保護カバー２の検知部収容部２４の外周方向に沿う形状で、ボタン部４１の上部両端側方に延出することで、タクトスイッチ９支点である熱溶着部２２からボタン部４１の押圧部４６までの距離を長くすることができ、押し操作するために必要な力を低減させている。また、延出片４２をボタン部４１の上部両端側方に延出することで、ボタン部４１が片持ちにならず、ボタン部４１のどの部分を押し操作しても、ボタン部４１全体が筐体内方に移動するので、確実にタクトスイッチ９を押すことができる。
【００３１】
また、保護カバー２のボタン部４１が収容される凹部２６の開口２５にボタン部４１のヒンジ片４３が挿入されているので、開口２５内に設けられたヒンジ片４３がストパーとして作用し、点検ボタン部材４が筐体外方に引っ張られることによって、点検ボタン部材４が破損することを防止し、また、当接面２７によって、点検ボタン部材４が筐体内方に必要以上に押し操作されることを防止するので、点検ボタン部材４のバネ性の劣化および劣化によるタクトスイッチ９の押しっぱなしを防止することができる。
【００３２】
次に、保護カバー２のＬＥＤキャップ取付部３２の表側から、ＬＥＤキャップ３７を挿入して、その爪部（図示せず）により引っ掛け固定する。次に、検知部７、タクトスイッチ９等が取付済のプリント基板８を保護カバー２の所定位置に載置して、検知部７は検知部収容部２４に収納し、スピーカー１０はスピーカー収納部３１に収納し、図４に示すようにスピーカー１０の背面側に音響反射部材３８を載置した状態で、音響反射部材３８を保護カバー２にねじ止めし、スピーカー１０を固定する。そして、保護カバー２と本体１を係合取付、及び、ねじ取付する。最後に、バッテリー装填口１６を介して保護カバー２のバッテリー収納部３０にバッテリー６を載置して、そのコネクタ（図示せず）を介してプリント基板８と電気的に接続し、バッテリーカバー５を本体１に取付ける。
【００３３】
なお、図示しないスイッチ操作ひもは、必要に応じて、一端をボタン部４１の操作ひも取付部３４に結合し、他端側を本体１の底面の背面方向に設けられたスリット１１から壁面に沿って垂設する。
【００３４】
次に、壁掛け型火災警報器の壁面への取り付けを図１５、図１６により説明する。図１５は壁面に取付ける取付金具６１の壁面側から見た正面図と底面図、図１６は取付金具６１を壁掛け型火災警報器に固定した状態を示す図である。図１５において、取付金具６１は断面ハット形状で壁面側取付部６１ａから両側に折り曲げ延設された警報器側取付部６１ｄから構成され、壁面側取付部６１ａには、一般的なネジ取付穴６１ｂと、住宅の一般的な壁材として用いられる石膏ボード取付用釘穴６１ｃが設けられている。
【００３５】
この取付金具６１は壁面側取付部６１ａのネジ取付穴６１ｂを用いてネジ取付か、または、石膏ボード取付用釘穴６１ｃを用いて石膏ボード取付用釘で壁面に取り付ける。そして、図１６に示すように、壁面に取付けた取付金具６１の警報器側取付部６１ｄを、本体１の上部に設けられた取付金具挿入部１３に挿入し、挟持片１４で挟んで固定することにより取り付けられる。なお、場合によっては、取付金具６１を使用せず取付金具挿入部１３に設けられた取付穴１５を用いてねじ止めしてもよい。
【００３６】
このように、従来の壁掛け型警報器が、筐体上部に壁掛けの取付支点を配置し、バッテリーを筐体下部の一側に配置し、バランス調整用のおもりを筐体下部の他側に配置している構造であったのに対し、本実施の形態は、図４に示すように、壁掛けの取付支点である取付金具挿入部１３に対して、重量の重い部材であるバッテリー６、スピーカー１０を近接配置し、さらに、スピーカー１０の背面の音響反射部材３８によりバランス調整機能を備えているので、余分な部材を必要とすることなく、傾きが発生しない。
また、この取付金具６１は、一般的なネジ取付と、住宅の一般的な壁材として用いられる石膏ボード取付を可能とするものである。
【００３７】
次に、この壁掛け型火災警報器の動作について説明する。
検知部７で煙が検知されると、その検知信号によってバッテリー６から電源供給を受ける報知器が動作して火災警報を発する。そして、火災警報状態で点検ボタン部材４のボタン部４１を押し操作すると、一定時間の警報停止が行われ、通常の監視状態で点検ボタン部材４のボタン部４１を押し操作すると、報知器及び火災警報器の動作チェックが行われる。
このとき、ボタン部４１は保護カバー２の最下部の略横幅全体にわたった広い面を含むように配設されているので、高所に取り付けられた壁掛け型警報器の点検時に、下方からユーザが身の回りにある棒やおたま等で簡単にかつ確実に点検ボタン部材４のボタン部４１を押することができる。
【００３８】
また、ボタン部４１を、保護カバー２の表面側と下面側にそれぞれ沿った表面側部と下面側部を有する断面略Ｌ字形状としたので、押す方向が表面側のみでなく、コーナーや下面側からの力でも押すことができ、また、おたま等で表面側から押した後の方向を下面方向にそらすようにすることができ操作し易い。
また、図４に示す移報用コネクタ３９から、フラッシュライト、増設ブザー等の外部警報器に接続するときは、バッテリーカバー５から切欠部５１を切り欠いて移報用コネクタ３９を外部に露出して使用する。
従って、従来の壁掛け型警報器は、移報用コネクタを外部に露出するために、筐体の本体に開口が設けられており、常時はシールで封止していた。そのため、シール代、工数がかかり、また、貼り忘れやはがれることがあり、ゴキブリ等が内部に侵入して基板がショートすることがあったのに対し、本実施の形態は、バッテリーカバー５の一部の切欠部５１を移報用コネクタのカバーとして、一体化することができ、また、バッテリーカバー５から切欠部５１を切り欠くだけで、容易に移報用コネクタを外部に露出することができる。
【００３９】
なお、操作ひも取付部３４にスイッチ操作ひもの一端を結合し、かつ、スイッチ操作ひもの他端側を本体１の底面の背面方向に設けられたスリット１１から壁面に沿って垂設すると、この垂設されたスイッチ操作ひもの他端の引き操作によって、スリット１１を支点として、スイッチ操作ひもの一端が筐体内方に移動するので、ボタン部４１を筐体の内方へ引き操作してタクトスイッチ９を押し操作することができる。
【００４０】
また、スイッチ操作ひもが壁面に沿って垂設されるので、スイッチ操作ひもは美観的に良好となり、また、従来の壁掛け型火災警報器は、スイッチ操作ひもの一端を筐体内部で結合し、筐体を構成する保護カバーと本体の間に設けられた孔からその外部へ突出垂設していたので、ひもが切れると、ひもを結合するために保護カバーを外す必要があったが、その必要をなくすことができる。
【図面の簡単な説明】
【００４１】
【図１】この発明の実施の形態を示す壁掛け型火災警報器の構成図である。
【図２】この発明の実施の形態を示す壁掛け型火災警報器の構成図である。
【図３】図１の要部拡大図である。
【図４】この発明の実施の形態を示す壁掛け型火災警報器の部品配置図である。
【図５】この発明の実施の形態を示す壁掛け型火災警報器の点検ボタン部材の構成図である。
【図６】図５の斜視図である。
【図７】この発明の実施の形態を示す壁掛け型火災警報器の保護カバーの構成図である。
【図８】この発明の実施の形態を示す壁掛け型火災警報器の保護カバーの構成図である。
【図９】図７の要部斜視図である。
【図１０】この発明の実施の形態を示す壁掛け型火災警報器の本体の構成図である。
【図１１】この発明の実施の形態を示す壁掛け型火災警報器の本体の構成図である。
【図１２】この発明の実施の形態を示す壁掛け型火災警報器の本体のバッテリーカバーの構成図である。
【図１３】この発明の実施の形態を示す壁掛け型火災警報器の保護カバーに点検ボタン部材を取り付けた状態を示す図である。
【図１４】図１３の部分断面図である。
【図１５】この発明の実施の形態を示す壁掛け型火災警報器の取付金具の構成図である。
【図１６】取付金具６１を壁掛け型火災警報器に固定した状態を示す図である。
【符号の説明】
【００４２】
１  本体、２  保護カバー、４  点検ボタン部材、５  バッテリーカバー、６  バッテリー、７  検知部、８  プリント基板、９  タクトスイッチ、１１  スリット、２１  突起部、２２  熱溶着部、２４  検知部収容部、２５  開口、２６  凹部、２７  当接面、３９  移報用コネクタ、４１  ボタン部、４２  延出片、４３  ヒンジ片、４４  操作ひも取付部、４５  孔、５１  切欠部。
【図１】
2006059278.tif 000003
【図２】
2006059278.tif 000004
【図３】
2006059278.tif 000005
【図４】
2006059278.tif 000006
【図５】
2006059278.tif 000007
【図６】
2006059278.tif 000008
【図７】
2006059278.tif 000009
【図８】
2006059278.tif 000010
【図９】
2006059278.tif 000011
【図１０】
2006059278.tif 000012
【図１１】
2006059278.tif 000013
【図１２】
2006059278.tif 000014
【図１３】
2006059278.tif 000015
【図１４】
2006059278.tif 000016
【図１５】
2006059278.tif 000017
【図１６】
2006059278.tif 000018